(57)【特許請求の範囲】
【請求項１】
保護エリアの地面から浮かせた状態で配置される網状体と地面の間に介在し、網状体と地面の間に植物生育空間を確保するスペーサであって、
アンカーが貫通する貫通孔が設けられた第１木材と、
前記アンカーが貫通する貫通孔が設けられた第２木材とを有し、
前記第１木材に設けられた前記貫通孔は、該第１木材の長手方向に直交する方向に延び、
前記第２木材に設けられた前記貫通孔は、該第２木材の長手方向に直交する方向に延び、
前記第１木材の長手方向と前記第２木材の長手方向とが直交し、かつ、前記第１木材の前記貫通孔と前記第２木材の前記貫通孔とが一直線上に位置するように前記第２木材を前記第１木材の上側に重ねて接合するときに前記第１木材の上側になる面および／または第２木材の下側になる面において接合部となる部位に段部が形成され、
前記段部は、前記貫通孔を中心に円形に切削された形状を呈する凹部によって形成され、かつ、前記第１木材と前記第２木材とが嵌合状態で接合されるように形成されていることを特徴とする食害防止装置のスペーサ。
【請求項２】
前記第１木材の長手方向と前記第２木材の長手方向とが直交し、かつ、前記第１木材の前記貫通孔と前記第２木材の前記貫通孔とが一直線上に位置するように前記第２木材を前記第１木材の上側に重ね、両者を前記接合部に形成された段部によって嵌合させて構成した請求項１に記載のスペーサと、このスペーサを介して保護エリアの地面から浮かせた状態で配置する網状体と、網状体をスペーサに固定させるアンカーとを備えることを特徴とする食害防止装置。
【請求項３】
請求項１に記載の食害防止装置のスペーサを用いる食害防止工法であって、
地面に前記第１木材と第２木材をこの順番で重ねて配置し、この際、前記第１木材の長手方向と前記第２木材の長手方向とが直交し、かつ、前記第１木材の前記貫通孔と前記第２木材の前記貫通孔とが一直線上に位置するように前記第２木材を前記第１木材の上側に重ね、両者を前記接合部に形成された段部によって嵌合させ、地面に前記第１木材及び第２木材を固定するように該第１木材及び第２木材の各々の前記貫通孔にアンカーを打ち込み、第２木材に網状体を載せて固定することにより、地面と網状体の間に植物生育空間を確保した状態で網状体を設置することを特徴とする食害防止工法。
【請求項４】
前記第１木材の長手方向は地面の等高線に対し交差し、前記第２木材の長手方向は地面の等高線と平行になるように前記第１木材及び第２木材を配置する請求項３に記載の食害防止工法。
【発明の詳細な説明】
【技術分野】
【０００１】
この発明は、食害防止装置のスペーサ、食害防止装置及び食害防止工法に関するものであり、より詳しくは、鹿等の草食動物による食害を防止する食害防止装置のスペーサ、食害防止装置及び食害防止工法に関する。なお、ここでいう草食動物とは、一般に言う草食動物に限らず、植物を摂食して食害を及ぼす動物全般をも指す。
【背景技術】
【０００２】
法面等の植生を鹿等の草食動物から保護することは、法面の侵食抑制の面から重要であり、これまで種々の方法が検討されている。その一方法として、特許文献１には、保護エリアの地面から浮かせた状態で網状体を配置することにより、草食動物による食害から植物を保護することを可能とする技術が開示されている。
【０００３】
上記技術によれば、網状体によって保護された植物生育空間内に位置する植生植物の根や茎を確実に保護することができ、かつ、設置が容易で、設置後のメンテナンスが不要となるので好ましい。
【先行技術文献】
【特許文献】
【０００４】
【特許文献１】特許第３７９３５２４号
【発明の概要】
【発明が解決しようとする課題】
【０００５】
ところで、網状体と地面との間に植物生育空間を確保するために介在するスペーサは、種々の構成が考えられるが、網状体を支持した状態で長時間が経過しても変形したり地面にめり込んだりしないようにするためには十分な接地面積を必要としていた。また、スペーサを現場に搬送するときには必然的に嵩張ってしまうという問題があった。
【０００６】
そこで、地面への設置に適し、かつ、重ねられる形状のスペーサを、合成樹脂などによって成形することが考えられる。しかしながら、合成樹脂は自然に崩壊することがないので、環境に与える影響が懸念される。他方、スペーサを鉄線材を用いて形成する場合、形状を工夫することにより、鉄線材を重ねて運搬できるようにすることが可能であるが、変形や沈み込みが発生することにより、長期的に植物生育空間を確保することが難しくなるという問題があった。
【０００７】
本発明は上述の事柄を考慮に入れてなされたものであり、その目的は、長期間にわたって安定して植物生育空間を保つことができ、地面への沈み込みが少なく、輸送コストを削減することができる食害防止装置のスペーサ、食害防止装置及び食害防止工法を提供することにある。
【課題を解決するための手段】
【０００８】
上記目的を達成するために、第１発明は、保護エリアの地面から浮かせた状態で配置される網状体と地面の間に介在し、網状体と地面の間に植物生育空間を確保するスペーサであって、アンカーが貫通する貫通孔が設けられた第１木材と、前記アンカーが貫通する貫通孔が設けられた第２木材とを有し、前記第１木材に設けられた前記貫通孔は、該第１木材の長手方向に直交する方向に延び、前記第２木材に設けられた前記貫通孔は、該第２木材の長手方向に直交する方向に延び、前記第１木材の長手方向と前記第２木材の長手方向とが直交し、かつ、前記第１木材の前記貫通孔と前記第２木材の前記貫通孔とが一直線上に位置するように前記第２木材を前記第１木材の上側に重ねて接合するときに前記第１木材の上側になる面および／または第２木材の下側になる面において接合部となる部位に段部が形成され、前記段部は、前記貫通孔を中心に円形に切削された形状を呈する凹部によって形成され、かつ、前記第１木材と前記第２木材とが嵌合状態で接合されるように形成されていることを特徴とする食害防止装置のスペーサを提供する（請求項１）。
【０００９】
前記第１木材と第２木材は、原木を断面正方形の柱状に切削して成形したものであることがより好ましく、これによって平面が地面に接地することになり、安定感が向上し、現場作業が容易となる。なお、木材の断面形状は正方形でない四角形であっても良く、さらには、少なくとも地面または網状体に接する面を切削したものであるなら配置したときの安定性が向上する。しかしながら、とりわけ小径木材の場合、丸太のまま用いて切削手間を削減してもよい。
【００１０】
さらに、第１木材を複数本略平行に並べて、第２木材を複数箇所で支えるように配置することにより安定性はさらに向上し、第２木材を複数本略平行に並べて配置することにより網状体との接合部の安定性がさらに向上する。この場合には木材に切削面を設けなくても十分に安定するので、小径の木材でもスペーサとして利用することができる。
【００１１】
木材は鉄線材に比べて長期間にわたって変形や沈み込みが無く、有効な高さを維持することができ、いずれは腐食することにより完全に分解するので好ましい。さらに、第１木材と第２木材の組み合わせによって形成されるスペーサは見た目にユニークであり、食害防止装置に意匠性を持たせることができる。また、図示はしないが、第２木材の上に、同様に第３木材を重ねて３段に、さらに同様に第４木材を重ねて４段にすることもでき、そうすることでより小径木を利用してもスペーサ全体の高さを確保することができる。
【００１２】
前記スペーサによって確保された植物生育空間に生える植物は網状体によって保護されることにより食害防止装置施工後に、植物生育空間の植物が草食動物によって食べつくされることがなく、地面を保護する機能を保つことができる。一方、草食動物は植物生育空間を超えて成長する植物を食すことができるので、その生態系を守ることができる。
【００１３】
上記スペーサにおいて、前記第１木材および／または第２木材は木材防腐剤またはカプサイシンを含む薬剤を塗布または含浸させた間伐材であることが好ましく、木材防腐剤（例えばクレオソートなど）は第１木材および第２木材の腐食を抑えることができるので、長期間にわたって植物生育空間を確保できる。また、木材防腐剤およびカプサイシンは草食動物の忌避効果を期待することができる。従って、第１木材および第２木材に木材防腐剤またはカプサイシンを塗布または含浸させることにより、草食動物を寄せ付けないようにすることができる。なお、塗布とは第１木材、第２木材に対して薬剤をハケ等を用いて塗布することだけでなく、吹き付けや噴霧を含み、含浸とは、例えば薬剤に対して第１木材、第２木材を漬け込んで薬剤を浸透させることを意味する。
【００１４】
前記第１木材および／または第２木材として間伐材を用いることができる。そして、その間伐材は現地発生のものであることが好ましく、これによって間伐材の有効利用を達成できると共に、第１木材、第２木材の運搬にかかる費用を必要最小限に抑えることができる。また、長期的にも現地発生の間伐材が現地の土に戻るので、現地環境の変化をできるだけ抑えることができる。
【００１５】
また、前記第１木材および第２木材の長手方向は地面の等高線に対し交差した状態で配置されるものであることが好ましい。
【００１６】
すなわち、地面の等高線に対し交差した状態で、第１木材および第２木材の長手方向を配置することにより、第１木材および第２木材を上下方向に安定して地面に配置することができ、それだけ浮き上がりにくく、安定性を高めることができる。
【００１７】
前記第１木材および／または第２木材の接合部に接合状態において嵌合するように形成される段部と、第１木材および第２木材の両方に前記接合部の接合状態においてアンカーが貫通する貫通孔とを備える場合（請求項１）には、第１木材と第２木材の嵌合状体を安定させることができる。なお、前記段部は、第１木材と第２木材の接合時にこの接合部が嵌合する、例えば数ミリ程度の高さの段であることが好ましく、接合部の少なくとも片側において嵌合状態を安定させるように形成されるものであるが、嵌合部の両側に形成されることによってさらに接合部を安定させることができる。加えて、段部は第１木材または第２木材のいずれか一方に形成したものであっても良いが、第１木材と第２木材の両方に形成されて互いに相手の木材を嵌合した状態で保持するものであることが好ましい。
【００１８】
前記貫通孔は第１木材の中心に設けるものであることにより、バランスがよく見た目を美しく形成することができるが、地面が傾斜している場合には、傾斜の上側にずらした位置に貫通孔を設けることにより、設置後の安定性が向上する。
【００１９】
前記段部は前記貫通孔の周辺を木材の幅の約１．４倍の直径で円形に切り込んだ凹部によって形成されたものであることが好ましい。
【００２０】
すなわち、前記切削凹部は一つの工具によって容易に形成することができるので、段部の切削を容易におこなうことができる。そして、例えば穴あけボール盤や段付ドリルを用いることにより、一度の切削で貫通孔と段部の両方を形成でき、それだけ製造コストの削減を図ることができる。また、木材の搬送時に嵩張らないという利点もある。なお、段部は貫通孔を中心に円形に切削されるものであることが好ましく、これによって第１木材と第２木材を正確に直交させて嵌合させることができる。
【００２１】
あるいは、前記段部はステープル針または杭などの突起物の打ち付け、リブまたは板状体などの突起物の貼り付けのうち何れかによって形成されるものであることが好ましい。
【００２２】
すなわち、段部を突起物の打ち付けや貼り付けによって形成する場合には、木材を切削する必要がないので、スペーサの高さを高くすることができる。
【００２３】
前記第１木材の長手方向は地面の等高線に対し交差した状態で配置され、第２木材の長手方向は地面の等高線と平行な状態で配置されるものであってもよい（請求項４）。
【００２４】
地面の等高線に対し交差した状態で、第１木材の長手方向を配置することにより、第１木材を上下方向に安定して地面に配置することができ、それだけ浮き上がりにくく、安定性を高めることができる。一方、第２木材は第１木材に交差させて地面の等高線と平行な状態で配置されるので、網状体の左右方向の位置ズレを効果的に防止して、網状体を介して隣り合う部分の連結が強くなり、より安定した構造となる。
【００２５】
第２発明は、前記第１木材の長手方向と前記第２木材の長手方向とが直交し、かつ、前記第１木材の前記貫通孔と前記第２木材の前記貫通孔とが一直線上に位置するように前記第２木材を前記第１木材の上側に重ね、両者を前記接合部に形成された段部によって嵌合させて構成した前記スペーサと、このスペーサを介して保護エリアの地面から浮かせた状態で配置する網状体と、網状体をスペーサに固定させるアンカーとを備えることを特徴とする食害防止装置を提供する（請求項２）。
【００２６】
網状体は複数の針金を縦横に配置して織り込んでなる織金網、螺旋状に屈曲させた針金を絡み合わせてなるネットフェンス、縦横の針金を溶接してなる溶接金網、千鳥状の切り込みを入れた鋼板を引き伸ばして形成されたエキスパンドメタル、金属板に貫通孔を打ち抜いてなるパンチメタルなど、種々の構成が考えられるが、設置状態において草食動物の体重によって幾らか撓む程度の強度を備えるものであることが好ましい。
【００２７】
また、アンカーは網状体の浮き上がりを長期間にわたって抑えることができる強度を備えるものであり、例えば頭部に略Ｌ字状に屈曲させた屈曲部を備えるものであることにより網状体を固定しやすい利点がある。また、アンカーの頭部に網状体を挟み込んで保持する保持部を設けてもよい。
【００２８】
第３発明は、前記スペーサを用いた食害防止工法であって、地面に前記第１木材と第２木材をこの順番で重ねて配置し、この際、前記第１木材の長手方向と前記第２木材の長手方向とが直交し、かつ、前記第１木材の前記貫通孔と前記第２木材の前記貫通孔とが一直線上に位置するように前記第２木材を前記第１木材の上側に重ね、両者を前記接合部に形成された段部によって嵌合させ、地面に前記第１木材及び第２木材を固定するように該第１木材及び第２木材の各々の前記貫通孔にアンカーを打ち込み、第２木材に網状体を載せて固定することにより、地面と網状体の間に植物生育空間を確保した状態で網状体を設置することを特徴とする食害防止工法を提供する（請求項３）。
【発明の効果】
【００２９】
請求項１に係る発明では、地面と網状体の間に食害防止装置の植物生育空間を確保するためのスペーサを容易に形成することができる。つまり、２段に木材を重ねてスペーサとするだけで、同じ高さで一本ものの木材をスペーサとする場合と比べて少ない材料で高さを稼ぐことができ、それだけ小径木の利用が可能となる。加えて、基本的に木材からなるスペーサは現場の情景になじみやすく、金属、プラスチック、モルタルなどの人工物に比べて見た目がユニークで意匠性がある。また、現場の間伐材を用いてスペーサを形成することにより、材料を現地で調達できるので、搬送にかかるコストを削減できる。
【００３０】
請求項２，３に係る第２発明および第３発明では、植生植物の生長点を網状体の下方に形成される植物生育空間内に位置させて保護するようにすれば、植生植物に対する鹿等の草食動物による食害や踏み荒らしを確実に防止することができる。そして、施工後の食害防止装置に、人や鹿等が上に載っても塑性変形しない程度以上の強度（保形性）を持たせれば、食害防止装置によって人や鹿等の移動が妨げられないので、施工性が向上するのみならず、植生植物において網状体を超えて伸長した部分（茎や葉）を鹿等が摂食することを許容して、鹿等との共生を積極的に図ることができ、鹿等が食害防止装置の設置エリアから他の地域に移動して、その地域で新たに食害をもたらすというようなことを無くして、食害の根本的な解決にも繋がる対策をとることも可能となる。
【図面の簡単な説明】
【００３１】
【図１】本発明の一実施の形態に係る食害防止装置のスペーサ、食害防止装置及び食害防止工法を概略的に示す説明図である。
【図２】前記食害防止装置の横断面図である。
【図３】前記食害防止装置のスペーサ及び食害防止装置の分解斜視図である。
【図４】図３に示す食害防止装置のスペーサの設置状態を説明する図である。
【図５】前記スペーサの変形例の構成を概略的に示す説明図である。
【図６】図５に示すスペーサの設置状態を説明する図である。
【図７】前記スペーサの別の変形例の構成を概略的に示す説明図である。
【図８】図７に示すスペーサの設置状態を説明する図である。
【図９】前記スペーサのその他の変形例の構成を示す図である。
【図１０】前記スペーサの更なる変形例の構成を示す図である。
【発明を実施するための形態】
【００３２】
以下、本発明の実施の形態について図面を参照しながら説明する。
【００３３】
図１に示すように、本実施形態に係る食害防止装置は、例えば、山間部の平地や斜面（法面）等に設置され、草食動物による食害の防止を図るためのものである。本実施形態の食害防止装置１０は、地面Ｇを覆うように配置される網状体１と、網状体１を地面から離間させ、網状体１と地面との間に植物生育空間Ｓを形成するためのスペーサ２と、スペーサ２を地面に固定するアンカー３とを備えている。
【００３４】
網状体１は、設置時に幾らか撓むもののその上を人や鹿等の草食動物が歩ける程度以上の強度を有していることが望ましく、その素材としては例えば亜鉛メッキによる被覆を施して縦横に配置された複数の針金１Ａ，１Ｂを織り込んでなる織金網である。なお、針金１Ａ，１Ｂの交点は別の針金によって固定して位置ズレを防止するように織り込む構成であることが好ましいが、単に縦横の針金１Ａ，１Ｂの上下位置を入れ替えることによって織り込むものであってもよい。
【００３５】
また、網状体１は樹脂被覆を加工したものであってもよく、また、その形状も螺旋状に屈曲させた針金を絡み合わせてなるネットフェンス、縦横の針金を溶接してなる溶接金網、千鳥状の切り込みを入れた鋼板を引き伸ばして形成されたエキスパンドメタル、金属板に貫通孔を打ち抜いてなるパンチメタル、さらには市販の合成樹脂製の簀の子など、種々の構成が考えられる。
【００３６】
網状体１の目合いは、植物生育空間Ｓにおける植物の生育を妨げることがなく、かつ、植物がその成長に伴って網状体１を容易に超えて成長できる程度に大きく、鹿などの草食動物の脚等がはまりこまない程度であることが好ましく、数ｍｍ〜十数ｃｍ程度の大きさである。
【００３７】
図２にも示すように、スペーサ２は、例えば５０〜１００ｃｍ程度の間隔をあけて、地面Ｇ側に配置される第１木材１１と、この第１木材１１に重ねて配置される第２木材１２とからなり、前記第１木材１１および第２木材１２の接合部には接合状態において互いに嵌合するように形成される段部１１Ａ，１２Ａを備える。また、第１木材１１および第２木材１２には、重ね合わせた状態において前記アンカー３が貫通する貫通孔１１Ｂ，１２Ｂを備える。
【００３８】
第１木材１１および第２木材１２は何れも現地の間伐材を現地で切断加工して形成した後に木材防腐剤を含浸させたものであり、その大きさは現地で採取できる間伐材の太さに合わせて調整されるものであるが、例えば、一辺が１００ｍｍの断面略正方形状の木材を３００ｍｍ程度の長さに切断したものである。また、各木材１１，１２の長さは例えば断面の一辺の３倍程度の長さを有するものであることが好ましい。木材防腐剤を薬剤として含浸させた木材は防腐効果が得られるだけでなく、草食動物の嫌忌効果も期待できるので好ましい。しかしながら木材防腐剤のみならずカプサイシンなどの薬剤を用いてもよい。また、木材１１，１２への薬剤の含浸の代わりに塗布してもよい。
【００３９】
前記段部１１Ａ，１２Ａは例えば段付のドリルを用いて形成することができる。このとき、段部１１Ａ，１２Ａの高さは数ミリ程度の低いものであっても結合部の結合状態において嵌合して結合状態が安定する。この場合、段部の直径Ｄは木材１１，１２の幅Ｗの約１．４倍とすることにより、段部１１Ａ，１２Ａ同士を嵌合させたときにがたつきが少なく、より安定したスペーサ２となる。また、段部１１Ａ，１２Ａは第１木材１１と第２木材１２の両方に設けた方が安定するが、第１木材１１または第２木材１２のどちらかに段部１１Ａまたは１２Ａを設けるだけでも設けない場合に比べて結合が安定する。
【００４０】
図３，４に示すように、地面Ｇ側に配置される第１木材１１はその長手方向Ｘが等高線に対し、交差した状態（例えば略直角）に配置されるものであることが好ましく、これによってスペーサ２は地面Ｇから浮き上がりにくくなり、安定性が高くなる。すなわち、第１木材１１の下端部は、スペーサ２の重心Ｏよりも谷側に位置するので、その重力は図示するように加わり、矢印Ｒに示す方向に浮き上がりにくくなる。
【００４１】
他方、第２木材１２の長手方向Ｙは等高線に対して例えば略平行に配置される。すなわち、網状体１と第２木材１２の接触が等高線状に配置されるので、網状体１の左右方向への位置ズレが生じがたく網状体１を介して隣り合うスペーサ２同士の横の連結が強くなり、より安定した構造となる。
【００４２】
前記構成の食害防止装置１０の設置は、まず地面に第１木材１１を置き、その上に段部１１Ａ，１２Ａを嵌合させるように第２木材１２を設置し、貫通孔１１Ｂ，１２Ｂにアンカー３を打ち込んでスペーサを地面Ｇに固定する。次いで、網状体１をスペーサ２に載せてアンカー３に固定する。すなわち、極めて簡単に食害防止装置１０を設置することができる。
【００４３】
また、木材１１，１２に現地の間伐材を使用する場合は、スペーサ２の形成のために嵩張る材料を長距離運搬する必要がないだけでなく、スペーサ２は何れは自然に戻るので、現地の環境をできるだけ自然のままにすることができる。
【００４４】
なお、上述の例ではスペーサ２を地面Ｇに直接設置する例を示しており、このような場合にも木材１１，１２の底面が地面Ｇに接するので、スペーサ２の沈み込みを防止でき、長期間にわたって植物生育空間Ｓを確保することができる。しかしながら、本発明は第１木材１１を地面Ｇに直接設置する場合に限定されるものではなく、植生基材を敷延した後に植生基材の上に第１木材１１を配置しても良いことはいうまでもない。
【００４５】
図５はスペーサ２の変形例であるスペーサ２’の構成を説明している。図５に示すように、スペーサ２’は第１木材１１’に形成する段部１１Ａ’および貫通孔１１Ｂ’を第１木材１１’の長手方向Ｘの一方に寄せて形成している。そのほかの構成は図１〜図４と同じであるからその詳細な説明を省略する。
【００４６】
図６は前記スペーサ２’の設置状態を示す図である。図６に示すように、前記貫通孔１１Ｂ’が法面の山側にくるように配置することにより、スペーサ２’の重心Ｏを図４に示すスペーサ２に比べて更に山側に移動させることができる。すなわち、更にスペーサ２’が矢印Ｒに示す方向に浮き上がりにくくなる。
【００４７】
図７は第２実施形態のスペーサ２０の構成を示す図である。２１は地面Ｇ側に設置される第１木材、２２はこの第１木材２１に重ねて配置される第２木材、２３は第１木材２１に打ち込んで形成した突起部による段部、２４はこの段部２３が嵌るように第２木材２２に形成した穴状の段部、２１Ｂ，２２Ｂは第１木材，第２木材に形成した貫通孔である。
【００４８】
図８に示すように、本実施形態の場合、第１木材２１も第２木材２２もその長手方向Ｘが地面Ｇの等高線に対して交差した状態（略直角方向）に配置することにより、斜面からの浮き上がりを効果的に防ぐことができる。
【００４９】
図９は、前記スペーサ２の更なる変形例を列挙するものである。それぞれ、段部の様々な構成を示している。
【００５０】
すなわち、図９（Ａ）に示すように、段部２５は第１木材１１に取付けられた板状の突部であって、第２木材１２には段部２６として上記段部２５に対応する切り欠きを形成してもよい。なお、本例では第１木材１１，１２の一端側に段部２５，２６を形成する例を示しているが、第１木材１１，１２の両端部に設けても良いことは言うまでもない。同様に段部２５，２６の凹凸の関係は逆であっても良い。さらに、段部２５と段部２６のどちらも板状の突部であって、交差して嵌め合わせることもできるように構成しても良い。
【００５１】
あるいは、図９（Ｂ）に示すように、段部２７として第１木材１１にリブ、段部２８として第２木材１２に溝を形成してもよい。また、この場合も、段部２７，２８を設ける数や、凹凸の関係は任意に変更できることは言うまでもない。加えて、段部２７と段部２８のどちらもリブであって、交差して嵌め合わせることもできるように構成しても良い。
【００５２】
さらに、図９（Ｃ）に示すように、段部２９として第１木材１１にステープル、段部３０として第２木材１２に切り込みを形成してもよい。加えて、段部２９，３０を設ける数や、凹凸の関係も任意に変更可能である。なお、本例においても、段部２９と段部３０のどちらもステープルであって、交差して嵌め合わせることもできるように構成しても良い。
【００５３】
図１０は、本発明の更なる変形例であるスペーサ３１の構成を示す図である。本実施形態では、スペーサ３１は複数の第１木材３２…および第２木材３３…を交差させて組み合わせて形成してある。また、第１木材３２と第２木材３３は針金、ロープなどの紐体からなる結束材３４によって結束されるものである。
【００５４】
複数の第１木材３２と第２木材３３の組み合わせ方は種々の変形が考えられ、基本的には図１０（Ａ）に示すように例えば２本の木材３２，３３を格子状に積み上げて、平面視略井字状に形成することができる。また、図１０（Ｂ）に示すように、２本の第１木材３２に一本の第２木材３３を略キ字状に形成することも考えられる。いずれにしても、複数の木材を並べて配置することにより安定性が向上し、木材３２，３３に切削面を形成する必要がないので少ない材料で高さを確保できるため、それだけ小径木の利用が可能となる。
【００５５】
なお、結束材３４による結束は図示するように平面視略Ｘ字状に交差させるように行うことにより、第１木材３２と第２木材３３の接合部を安定させることができるが、結束材３４を交差させないことも可能であることはいうまでもない。
【符号の説明】
【００５６】
１    網状体
２，２’，２０，３１    スペーサ
３    アンカー
１０  食害防止装置
１１，１１’，３２  第１木材
１１Ａ，１１Ａ’  段部
１１Ｂ，２１Ｂ  貫通孔
１２，１２’，３３  第２木材
１２Ａ  段部
１２Ｂ，２２Ｂ  貫通孔
２３〜３０  段部
Ｇ  地面
Ｓ  植物生育空間
【図１】
0005865335.tif 000002
【図２】
0005865335.tif 000003
【図３】
0005865335.tif 000004
【図４】
0005865335.tif 000005
【図５】
0005865335.tif 000006
【図６】
0005865335.tif 000007
【図７】
0005865335.tif 000008
【図８】
0005865335.tif 000009
【図９】
0005865335.tif 000010
【図１０】
0005865335.tif 000011